(57)【特許請求の範囲】
【請求項１】
浴槽の残り湯利用に用いるポップアップ排水栓と連動して作動する排水バルブの位置および開閉作動条件について、
浴槽の排水が浴室内洗い場の排水トラップを経由して流れる構造にあっては、ポップアップ排水栓の出口と洗い場の排水トラップの受け入れ口との間に連動して作動する排水バルブを設け、前記連動して作動する排水バルブの上流から各残り湯利用先へ中水利用可能で、
ポップアップ排水栓と連動して作動する排水バルブの開閉作動条件を次のとおりとしたポップアップ排水栓と排水バルブの連動作動電気制御方式。
１）入浴モード時：ポップアップ排水栓２５閉止／排水バルブ３５閉止
２）残り湯利用モード時：ポップアップ排水栓２５開放／排水バルブ３５閉止
３）清掃モード時：ポップアップ排水栓２５開放／排水バルブ３５開放
【請求項２】
浴槽の残り湯利用に用いるポップアップ排水栓と連動して作動する排水バルブの位置について、
前記連動して作動する排水バルブの取付け位置と勾配は、排水バルブの出口管内の底面が浴室内洗い場の排水トラップの水封レベル位置と同等または高いことを特徴とした請求項１に記載のポップアップ排水栓と排水バルブの連動作動電気制御方式。
【発明の詳細な説明】
【技術分野】
【０００１】
本発明は、ポップアップ排水栓と連動して作動する排水バルブ位置と開閉作動条件に関するものである。
【背景技術】
【０００２】
近年、居住者の多くが安全、安心また健康で快適な居住空間の提供を望み住宅等建物の付帯設備もかなり充実してきている。
そして人類だけが生活の快適さを得るため地球温暖化に結び付く石油や石炭また天然ガスなどのエネルギーの大量消費を続けている。
ところで近年、地球温暖化により生物にとって致命的な風水害や砂漠化など異常気象に伴う自然災害に見舞われる可能性が格段に高くなると言われ、その異常気象が各国、各地で起こり始めている。
【０００３】
そこで、地球環境破壊阻止に向けて誰もが身近なことからできる浴槽の残り湯利用に着目、 多くの家庭で浴槽の残り湯利用に関し洗濯水への中水利用はかなり進んでいる。
しかし、核家族化が進むにつれて洗濯する回数も減り、そのため残り湯を十分利用しないまま排水へと直接捨てられている水量も格段に多くなっている。
【０００４】
また、中水利用に関する技術情報によれば雨水を専用タンクに溜め浄化してからトイレなどに再利用する技術公開が殆どで、その設備は複雑で設備費用も高く一般家庭には不向きであった。
このこともあり浴槽を水タンク代わりに利用し残り湯をトイレや洗濯機等に中水利用する簡単な方法として、例えば（特許文献１）（特許文献２）に記載されている。
【先行技術文献】
【特許文献】
【０００５】
【特許文献１】特開２００８−２５３７０６号公報
【特許文献２】特開２０１０−２１６２１１号公報
【発明の概要】
【発明が解決しようとする課題】
【０００６】
最近のユニットバスは浴槽用トラップと浴室内洗い場の排水トラップが兼用していて排水トラップ出口の排水配管が一本化されてきている。
しかし、このことによって衛生上の不具合も生じてきている。
その不具合を解消するため、ポップアップ排水栓と連動して開閉作動する排水バルブの作動条件および取付け位置に関し技術提供することで衛生上の不具合点の解消を主たる目的とした。
【０００７】
浴槽用トラップと浴室内洗い場の排水トラップと兼用していることによる衛生上の不具合点を簡単に説明すると、ユニットバスはマンションなど床下高さに制限があることが多く、しかも浴槽の出入り動線また浴室出入口とフロアー床面とのバリアフリー化を行うために、浴槽の排水口と浴室洗い場と兼用している排水トラップの水封位置は排水が流れるギリギリの勾配で設計されている。
このことにより浴槽のポップアップ排水栓から排水トラップを結ぶ横引き接続配管の底部には数センチの排水が常時滞留している。
【０００８】
この常時滞留している排水が腐り雑菌の温床になっているのである。
特に、夏場はシャワーのみで済ませる期間が長くポップアップ排水栓を開放していると浴室洗い場から入り込んだ排水が腐り悪臭が発生するケースが多々あり衛生上の不具合となっている。
一部のユニットバスにはゴム製の逆流防止部品を取付けた商品もあるが不完全で不具合の解消には至っていない。
そこで、衛生上の不具合点の解決を図り残り湯利用の安価な技術構成で具現化し提供することにある。
【課題を解決するための手段】
【０００９】
前記目的を達成するため本発明は、以下の技術的手段を講じた。
第１に、浴槽の残り湯利用に用いるポップアップ排水栓と連動して作動する排水バルブの位置および開閉作動条件について、
浴槽の排水が浴室内洗い場の排水トラップを経由して流れる構造にあっては、ポップアップ排水栓の出口と洗い場の排水トラップの受け入れ口との間に連動して作動する排水バルブを設け、前記連動して作動する排水バルブの上流から各残り湯利用先へ中水利用可能で、ポップアップ排水栓と連動して作動する排水バルブの開閉作動条件を次のとおりとしたポップアップ排水栓と排水バルブの連動作動電気制御方式にした。
・入浴モード時は、閉止
・残り湯利用モード時は、閉止
・清掃モード時は、開放
【００１０】
第２に、浴槽の残り湯利用に用いるポップアップ排水栓と連動して作動する排水バルブの位置について、
前記連動して作動する排水バルブの取付け位置と勾配は、排水バルブの出口管内の底面が浴室内洗い場の排水トラップの水封レベル位置と同等または高くしたポップアップ排水栓と排水バルブの連動作動電気制御方式にした。
【発明の効果】
【００１１】
本発明は、浴槽の残り湯利用に用いるポップアップ排水栓と連動して作動する排水バルブの位置と開閉作動を電気的に連動させることにより残り湯利用と衛生上の不具合点の解決技術を提供できる。
【図面の簡単な説明】
【００１２】
【図１】浴槽のポップアップ排水栓と連動して作動する排水バルブ位置の概念図
【発明を実施するための形態】
【００１３】
以下、本発明の実施の形態を図１に基づいて実施例１で説明する。
【実施例１】
【００１４】
図１は、第１また第２の技術手段を図示したもので浴槽２１の残り湯利用のポップアップ排水栓２５と連動して作動する排水バルブ３５の位置図である。
前記排水バルブ３５はピンチバルブやダイヤフラムバルブなど毛髪等が詰ることがなく流れ易い形状のバルブを使用している。
【００１５】
この連動して作動する排水バルブ３５の取付け位置は、浴槽２１のポップアップ排水栓２５と浴室内洗い場３１の排水トラップ４５の受け入れ口４２との間に取付けられていて、残り湯利用は排水バルブ３５の上流から各残り湯利用先のトイレ６０や洗濯機７０へ中水利用可能となっている。
【００１６】
現状の不具合点を簡単に説明すると、浴槽用トラップと浴室内洗い場の排水トラップと兼用しているユニットバスは、マンションなど床下高さに制限があることが多く、しかも浴槽の出入り動線また浴室出入口とフロアー床面とのバリアフリー化を行うために、浴槽の排水口と浴室洗い場と兼用している排水トラップの水封位置は排水が流れるギリギリの勾配で設計されている。
このことにより浴槽のポップアップ排水栓から排水トラップを結ぶ横引き接続配管９５の底部には数センチの排水が常時滞留している。
この常時滞留している排水が腐り雑菌の温床になっているのである。
【００１７】
特に、夏場はシャワーのみで済ませる期間が長くポップアップ排水栓を開放していると浴室洗い場から入り込んだ排水が腐り悪臭が発生するケースが多々あり衛生上の不具合となっている。
【００１８】
そこで、この衛生上の不具点の解消また浴槽の残り湯利用を図るために、第１また第２の技術手段を用いて本発明の技術構成としている。
【００１９】
ポップアップ排水栓２５と連動して作動する排水バルブ３５の取付け位置と勾配は、排水バルブ３５の出口管内の底面３７が浴室内洗い場３１の排水トラップの水封レベル位置４９と同等かまたは若干高くなっていて、浴槽２１を清掃した後も排水トラップ４５側からの排水が排水バルブ３５部にギリギリ到達しないように若干の流れ勾配が設けてある。
【００２０】
そして、ポップアップ排水栓２５と連動して作動する排水バルブ３５の開閉作動条件を次のとおりの連動作動電気制御方式１０にしたことで残り湯利用を可能とし且つ衛生上の不具合点の解決を図った。
・入浴モード時は、ポップアップ排水栓２５閉止／排水バルブ３５閉止
・残り湯利用モード時は、ポップアップ排水栓２５開放／排水バルブ３５閉止
・清掃モード時は、ポップアップ排水栓２５開放／排水バルブ３５開放
【００２１】
このように、連動して作動する排水バルブ３５は浴槽２１の清掃時である清掃モード時にのみ開放される。
したがって、浴槽２１を清掃し直ちに入浴モードにすればポップアップ排水栓２５の閉止と連動し排水バルブ３５は閉止するので、排水バルブ３５の上流は常に衛生的に維持できるのである。
【００２２】
浴槽２１の残り湯利用は、浴槽２１の排水が浴室内洗い場３１の排水トラップ４５を経由して流れる構造にあっては、ポップアップ排水栓２５の出口と浴室内洗い場３１の排水トラップ４５の受け入れ口４２との間に連動して作動する排水バルブ３５を設け、連動して作動する排水バルブ３５の上流から各残り湯利用先に中水利用可能で、残り湯利用の利用先としてはトイレ６０や洗濯機７０または庭の散水など中水利用先を限定するものではない。
【産業上の利用可能性】
【００２３】
残り湯利用を図ることで、追い炊きせずに毎回新しい湯船に入る入浴スタイルを普及拡大させることで、病気にかからない住宅造りへ一歩でも近づけられる。
結果、国民医療費の抑制に結びつく可能性が大となる。
【符号の説明】
【００２４】
１０、連動作動電気制御方式
２１、浴槽
２５、ポップアップ排水栓
３１、浴室内洗い場
３５、排水バルブ
３７、排水バルブの出口管内の底面
４１、ヘアーキャッチャー
４２、受け入れ口
４５、排水トラップ
４９、排水トラップの水封レベル位置
６０、トイレ
７０、洗濯機
９５、横引き接続配管
【図１】
0006629559.tif 000002